(57)【要約】【課題】処理負荷の増大及び精度の低下を抑制しつつ、縮小されていない撮像画像から評価値を取得する技術を提供する。【解決手段】撮像素子を含む撮像手段と、前記撮像手段による撮像画像の画素数を減少させて縮小画像を生成する縮小手段と、前記縮小画像において欠陥画素を検出する検出手段と、前記検出手段で検出された欠陥画素の位置に基づき、前記撮像画像における欠陥画素の位置を取得する取得手段と、前記取得手段で取得された位置の画素を除いた前記撮像画像に基づき、前記撮像画像の撮像に関する評価値を生成する第１の生成手段と、を備えることを特徴とする撮像装置を提供する。【選択図】図２Ｂ
2015061137.tif 000002
【特許請求の範囲】
【請求項１】
撮像素子を含む撮像手段と、
前記撮像手段による撮像画像の画素数を減少させて縮小画像を生成する縮小手段と、
前記縮小画像において欠陥画素を検出する検出手段と、
前記検出手段で検出された欠陥画素の位置に基づき、前記撮像画像における欠陥画素の位置を取得する取得手段と、
前記取得手段で取得された位置の画素を除いた前記撮像画像に基づき、前記撮像画像の撮像に関する評価値を生成する第１の生成手段と、
を備えることを特徴とする撮像装置。
【請求項２】
前記縮小画像における前記撮像素子に由来する欠陥画素を補正する補正手段を更に備え、
前記検出手段は、前記補正手段での補正に伴い、前記欠陥画素を検出する
ことを特徴とする請求項１に記載の撮像装置。
【請求項３】
前記補正手段で補正された縮小画像に基づいて前記評価値を生成する第２の生成手段と、
前記第１の生成手段に前記評価値を生成させるか前記第２の生成手段に前記評価値を生成させるかを切り替える切替手段と、
を更に備えることを特徴とする請求項２に記載の撮像装置。
【請求項４】
前記第１の生成手段は、前記撮像画像の一部の領域に基づいて前記評価値を生成するように構成され、
前記撮像装置は、前記取得手段で取得された位置の画素が前記一部の領域に含まれるか否かを判定する判定手段を更に備え、
前記第１の生成手段は、前記取得手段で取得された位置の画素のうち前記一部の領域に含まれる画素を除いて、前記評価値を生成する
ことを特徴とする請求項１乃至３のいずれか１項に記載の撮像装置。
【請求項５】
前記評価値に基づいて前記撮像手段による次の撮像を制御する制御手段を更に備える
ことを特徴とする請求項１乃至４のいずれか１項に記載の撮像装置。
【請求項６】
前記欠陥画素は、前記撮像素子に由来する、列単位の欠陥画素又は画素単位の欠陥画素を含む
ことを特徴とする請求項１乃至５のいずれか１項に記載の撮像装置。
【請求項７】
前記評価値は、前記撮像画像の合焦評価値、露出評価値、又はぶれ評価値を含む
ことを特徴とする請求項１乃至６のいずれか１項に記載の撮像装置。
【請求項８】
前記撮像画像を前記検出手段と前記第１の生成手段に分配する分配手段を更に備える
ことを特徴とする請求項１乃至７のいずれか１項に記載の撮像装置。
【請求項９】
撮像素子を含む撮像手段を備える撮像装置の制御方法であって、
前記撮像装置の縮小手段が、前記撮像手段による撮像画像の画素数を減少させて縮小画像を生成する縮小工程と、
前記撮像装置の検出手段が、前記縮小画像において欠陥画素を検出する検出工程と、
前記撮像装置の取得手段が、前記検出工程で検出された欠陥画素の位置に基づき、前記撮像画像における欠陥画素の位置を取得する取得工程と、
前記撮像装置の第１の生成手段が、前記取得工程で取得された位置の画素を除いた前記撮像画像に基づき、前記撮像画像の撮像に関する評価値を生成する第１の生成工程と、
を備えることを特徴とする制御方法。
【請求項１０】
コンピュータを、請求項１乃至８のいずれか１項に記載の撮像装置の撮像手段を除く各手段として機能させるためのプログラム。
【発明の詳細な説明】
【技術分野】
【０００１】
本発明は、撮像装置、その制御方法、及びプログラムに関する。
【背景技術】
【０００２】
近年、デジタルビデオカメラをはじめとする撮像装置では、記録できる画素数が増してきている。これは、撮像装置により記録した映像を映し出すモニターの規格とも密接な関係がある。即ち、ＳＤ（Ｓｔａｎｄａｒｄ  Ｄｅｆｉｎｉｔｉｏｎ）と呼ばれる規格から、ＨＤ（Ｈｉｇｈ  Ｄｅｆｉｎｉｔｉｏｎ）と呼ばれる規格への移行があり、今後はさらなる解像度を持つモニターへの移行が予定されている。
【０００３】
ＨＤの解像度は主に横１９２０画素、縦１０８０画素（以下、１９２０×１０８０画素と表す）であるが、４Ｋ２Ｋと呼ばれる次の世代として考えられているモニターの解像度は、３８４０×２１６０画素とＨＤの４倍の画素数である。また、デジタルシネマで策定されている規格は、４０９６×２１６０画素で、４Ｋ２Ｋよりも画素数が多い。また、４Ｋ２Ｋよりも更に次の世代として、８Ｋ４Ｋと呼ばれる規格も考えられており、７６８０×４３２０画素もの画素数を持つ。これもデジタルシネマでは水平は８Ｋを超えるものと考えられる。
【０００４】
このような変化に伴い、撮像装置においても、記録できる画素数に関して高画素化が要求されている。例えば、前述のスーパーハイビジョンの記録画素に対応するには、レンズ、撮像素子、映像信号をデジタル処理する画像処理ＬＳＩ、及び、映像信号を外部に出力する映像出力ＬＳＩなどが高画素数に対応する必要がある。
【０００５】
近年、撮像装置の撮像素子として用いられているＣＭＯＳイメージセンサーは、その構造から、様々なノイズを生じる場合がある。具体的には、垂直方向の固定パターンノイズ（ＦＰＮ：Ｆｉｘｅｄ−ｐａｔｔｅｒｎ  Ｎｏｉｓｅ）や、感度不均一性による縦線ノイズ（ＰＲＮＵ）、暗電流不均一性によるノイズ（ＤＳＮＵ）などがある。また、ＣＭＯＳイメージセンサーは、画素欠陥による点キズなどを生じることもある。通常は、撮像装置内の画像処理ＬＳＩなどで、リアルタイムにＦＰＮ補正が行われる。
【０００６】
また、このような補正が行われた映像を解析することにより、オートフォーカスや露出の情報、防振の情報など、様々な情報（評価値）を取得することも行われている。撮像素子から得られる映像信号の高画素化に伴い、一層詳細な情報を取得することが可能である。
【０００７】
特許文献１は、縮小画像を作成するために間引き読出しを行う場合に、フルサイズの映像信号で検出された傷アドレスのうち縮小画像に関連する傷アドレスに基づき、縮小画像でＶライン傷が生じる画素列を前後の画素列で補間処理することを開示している。これにより、特許文献１は、縮小画像に対してＶライン傷の補正を適切に行っている。
【先行技術文献】
【特許文献】
【０００８】
【特許文献１】２００７−１９８２５号公報
【発明の概要】
【発明が解決しようとする課題】
【０００９】
高画素化された映像信号は１フレーム当たりの情報量が多いため、これをリアルタイムに補正することは、処理負荷が高い。従って、画像処理ＬＳＩが大規模になったり、消費電力が増大したりするという問題がある。そこで、ＦＰＮ補正を行わずに撮像画像を記録することが提案されているが、この場合、撮像画像に点キズなどが含まれている可能性があるため、撮像画像から取得する評価値の精度が低下する可能性がある。
【００１０】
特許文献１の手法を用いた撮像装置では、結果的にフルサイズの画像に対してＦＰＮ補正を実施することになるため、処理負荷の増大を避けることができない。また、特許文献１には、オートフォーカスや露出の情報、防振の情報などの評価値を取得するための映像解析に関しては、特段の開示は無い。
【００１１】
本発明はこのような状況に鑑みてなされたものであり、処理負荷の増大及び精度の低下を抑制しつつ、縮小されていない撮像画像から評価値を取得する技術を提供することを目的とする。
【課題を解決するための手段】
【００１２】
上記課題を解決するために、本発明は、撮像素子を含む撮像手段と、前記撮像手段による撮像画像の画素数を減少させて縮小画像を生成する縮小手段と、前記縮小画像において欠陥画素を検出する検出手段と、前記検出手段で検出された欠陥画素の位置に基づき、前記撮像画像における欠陥画素の位置を取得する取得手段と、前記取得手段で取得された位置の画素を除いた前記撮像画像に基づき、前記撮像画像の撮像に関する評価値を生成する第１の生成手段と、を備えることを特徴とする撮像装置を提供する。
【００１３】
なお、その他の本発明の特徴は、添付図面及び以下の発明を実施するための形態における記載によって更に明らかになるものである。
【発明の効果】
【００１４】
本発明によれば、処理負荷の増大及び精度の低下を抑制しつつ、縮小されていない撮像画像から評価値を取得することが可能となる。
【図面の簡単な説明】
【００１５】
【図１Ａ】第１の実施形態に係る撮像装置１００の構成を示すブロック図。
【図１Ｂ】第３の実施形態に係る撮像装置１５０の構成を示すブロック図。
【図２Ａ】縮小画像補正部１０６の動作の概念図。
【図２Ｂ】縮小画像補正部１０６が縮小画像において縦線キズ（傷列）を検出した場合の、詳細評価値生成部１０９の動作の概念図。
【図２Ｃ】縮小画像補正部１０６が縮小画像において欠陥画素を検出した場合の、詳細評価値生成部１０９の動作の概念図。
【図３Ａ】第１の実施形態に係る評価値生成処理の流れを示すフローチャート。
【図３Ｂ】第２の実施形態に係る評価値生成処理の流れを示すフローチャート。
【発明を実施するための形態】
【００１６】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１７】
［第１の実施形態］
図１Ａは、第１の実施形態に係る撮像装置１００の構成を示すブロック図である。図１Ａにおいて、光学レンズ１０１は、被写体の光を取り込む。光学レンズ１０１は、代表的なものとしては、ピントを合わせるためのフォーカス機構、光量や被写界深度を調節する絞り機構、及び、焦点距離を変化させるためのズーム機構を有する。但し、単焦点レンズであれば、ズーム機構は用意されない。また、パンフォーカスレンズであれば、フォーカスは無限遠の１点のみであり、フォーカス機構は用意されない。レンズのコストダウンのために、絞り位置を１点にし、光量を調整するためのＮＤフィルタで代用したものもある。本実施形態では、光学レンズ１０１は、撮像素子１０２に光を結像して入光するものであれば、いかなる光学レンズであっても構わない。
【００１８】
撮像素子１０２は、光学レンズ１０１から入射光を受け、それを電気信号へ変換し、出力する。代表的なものとして、ＣＣＤ（Ｃｈａｒｇｅ  Ｃｏｕｐｌｅｄ  Ｄｅｖｉｃｅ）イメージセンサーや、ＣＭＯＳイメージセンサーなどが挙げられる。撮像素子１０２としては、アナログの映像信号を直接出力する撮像素子が用いられてもよい。或いは、内部でＡＤ（アナログデジタル）変換処理を行い、ＬＶＤＳ（Ｌｏｗ  ｖｏｌｔａｇｅ  ｄｉｆｆｅｒｅｎｔｉａｌ  ｓｉｇｎａｌｉｎｇ）をはじめとするデジタルデータの形式で映像信号を出力する撮像素子が用いられてもよい。
【００１９】
映像分配器１０３は、撮像素子１０２からの映像信号を複数に分配する。記録媒体１０４は、映像分配器１０３から分配されたフルサイズの映像信号を記録する。本実施形態では、記録されるフルサイズの映像信号に対しては、ＦＰＮ補正は行われない。
【００２０】
映像圧縮部１０５は、映像分配器１０３から分配されたフルサイズの映像信号に対してシュリンク処理（映像信号全体を加算する処理や、映像信号の一部を間引く処理など）を行い、映像信号の各フレーム（撮像画像）の画素数を減少させる。シュリンク処理により、縮小画像が生成される。ここでは、後述の縮小画像補正部１０６でリアルタイムにＦＰＮ補正を行うことが可能な程度にまで画素数が減少するように、シュリンク処理が行われる。
【００２１】
縮小画像補正部１０６は、映像圧縮部１０５でのシュリンク処理により得られた縮小画像に対し、ＦＰＮ補正をリアルタイムに行う。ここで、ＦＰＮ補正とは、様々な補正の総称であり、例えば、映像信号の黒のレベルを決定するＯＢクランプ、固定パターンノイズ（ＦＰＮ）の補正、感度不均一性による縦線ノイズ（ＰＲＮＵ）の補正などを含む。また、暗電流不均一性によるノイズ（ＤＳＮＵ）の補正、画素欠陥による点キズなどの補正なども含む。この他にも、リアルタイムに行われる撮像素子固有の補正は、全てＦＰＮ補正に含まれる。縮小画像補正部１０６は、ＦＰＮ補正に伴って検出した縦線キズ及び点キズのアドレス情報を詳細評価値生成部１０９へ送信する。なお、縮小画像補正部１０６は、縮小画像の補正を行わずに、縦線キズ及び点キズのアドレス情報の検出のみを行ってもよい。
【００２２】
現像処理部１０７は、撮像装置１００における代表的な画像処理機能を有し、ノイズリダクション、ガンマ補正、ニー、デジタルゲインなどをはじめ、キズ補正など各種現像処理を行なう。現像処理部１０７には、それぞれの補正や画像処理に必要となる設定値を記憶しておく記憶回路も含まれる。
【００２３】
表示部１０８は、現像処理部１０７で現像処理された映像を表示する。表示部１０８は、代表的なものとしては、撮像装置１００に付属する液晶モニターやビューファインダーなどである。撮像装置１００のユーザは、表示部１０８を通じて、画角や露出などを確認することができる。
【００２４】
詳細評価値生成部１０９は、映像分配器１０３から分配されたフルサイズの映像信号の各フレーム（撮像画像）に基づいて評価値を生成する。評価値は、撮像画像の撮像に関する情報を示すものであれば、いかなる種類のものであっても構わない。例として、撮像画像の合焦評価値、露出評価値、及びぶれ評価値などが挙げられる。合焦評価値、露出評価値、及びぶれ評価値は、それぞれ、次のフレームの撮像のためのフォーカス制御、露出制御、及び手ぶれ補正に利用可能である。フルサイズの映像信号には、縦線キズや点キズが含まれている。しかしながら、前述の通り、フルサイズの映像信号に対してはＦＰＮ補正が行われないため、フルサイズの画像における縦線キズや点キズの位置は検出されていない。そこで、詳細評価値生成部１０９は、縮小画像補正部１０６により検出された縦線キズ及び点キズのアドレス情報を受信し、縮小画像におけるアドレス情報をフルサイズの画像におけるアドレス情報に変換する。これにより、詳細評価値生成部１０９は、フルサイズの画像における縦線キズ及び点キズの位置を知ることができる。そして、詳細評価値生成部１０９は、縦線キズ及び点キズのアドレスにある画素は、評価値の生成を行う計算から除外する。詳細評価値生成部１０９は、評価値を撮像素子制御部１１０及びレンズ制御部１１１へ送信する。
【００２５】
撮像素子制御部１１０及びレンズ制御部１１１は、詳細評価値生成部１０９から受信した評価値（合焦評価値、露出評価値、及びぶれ評価値など）に基づき、次の撮像画像が適正な状態になるように、撮像素子１０２及び光学レンズ１０１を制御する。
【００２６】
次に、図２Ａを参照して、縮小画像補正部１０６の動作について詳細に説明する。ここでは、撮像素子１０２のフルサイズの画像から１／４の縮小画像へのシュリンク処理（例えば、７６８０×４３２０画素から１９２０×１０８０画素へのシュリンク処理）を例に説明する。
【００２７】
符号２０１は、撮像素子１０２の一般的な画素構成を示している。撮像素子１０２は、レンズからの光を受けて映像信号を変換する有効撮像領域と、レンズからの光を遮り、黒レベルを出力するオプティカルブラック（ＯＢ）領域とを含む。特に、有効撮像領域の上部、もしくは下部に配置されたＯＢ領域を垂直ＯＢ領域、有効撮像領域の左側、もしくは右側に配置されたＯＢ領域を水平ＯＢ領域と呼ぶ。これらのＯＢ領域は、主に映像信号の黒レベルを合わせるための水平ＯＢクランプ、及び、撮像素子のＦＰＮ補正などに使用される。
【００２８】
符号２０２は、撮像素子１０２の有効撮像領域の一部（６４画素）を拡大したものを示す。撮像画像を１／４に圧縮する場合、縮小画像補正部１０６は、水平・垂直方向に連続する４画素、合わせて１６画素を、１画素に圧縮する。この圧縮の方法としては、単純に平均する方法、この１６画素から１画素を抜き出す間引き方法、もっと周囲の画素の情報を使いフィルタを用いる方法など、多くの方法が提案されている。ここでは、平均化する場合を例として説明を行なう。
【００２９】
符号２０３は、符号２０２で示す１６画素を平均化して１画素としてまとめたものを示す。縮小画像補正部１０６は、このような方法で、もともと６４画素であった画素数を４画素へシュリンクすることを全画素に対して適用することにより、撮像画像を１／４にシュリンクする。
【００３０】
次に、図２Ｂ及び図２Ｃを参照して、詳細評価値生成部１０９の動作について詳細に説明する。
【００３１】
図２Ｂは、縮小画像補正部１０６が縮小画像において縦線キズ（傷列）を検出した場合の、詳細評価値生成部１０９の動作を示す。図２Ｂの左下に拡大して示す４画素のうち、２番及び４番の画素が傷列である。縮小画像補正部１０６は、縮小画像において傷列（縦線キズ）を１本検出した場合、詳細評価値生成部１０９に対して縦線キズのアドレスを送信する。図２Ａに示すように縮小画像が１／４のシュリンクにより生成された場合は、詳細評価値生成部１０９は、入力されるフルサイズの画像において、縮小画像の縦線キズに対応する２番及び４番の４列分を、縦線キズがある列であると判断する（アドレス変換）。そして、詳細評価値生成部１０９は、評価値を算出するための演算対象画素から、縦線キズに対応する画素を除く。
【００３２】
図２Ｃは、縮小画像補正部１０６が縮小画像において欠陥画素を検出した場合の、詳細評価値生成部１０９の動作を示す。図２Ｃの左下に拡大して示す４画素のうち、４番の画素が欠陥画素である。縮小画像補正部１０６は、縮小画像において欠陥画素を１画素検出した場合、詳細評価値生成部１０９に対して欠陥画素のアドレスを送信する。図２Ａに示すように縮小画像が１／４のシュリンクにより生成された場合は、詳細評価値生成部１０９は、入力されるフルサイズの画像において、縮小画像の欠陥画素に対応する４番の１６画素分を、欠陥画素の可能性がある画素であると判断する。そして、詳細評価値生成部１０９は、評価値を算出するための演算対象画素から、欠陥画素に対応する画素を除く。
【００３３】
なお、図２Ｂ及び図２Ｃの説明においては、列単位の画素の欠陥を縦線キズと呼び、画素単位の画素の欠陥を欠陥画素と呼んで両者を区別した。しかし、縦線キズであっても、縦線キズを構成する各画素は評価値演算の対象から除外すべき欠陥であり、この点において、縦線キズも画素単位の画素の欠陥である欠陥画素と変わりはない。また、評価値演算の対象から除外すべき欠陥のある画素は、図２Ｂ及び図２Ｃで説明した種類のものに限定されない。従って、本願で欠陥画素と言った場合、文脈に応じて、図２Ｃに示す種類の欠陥画素に限らず、撮像素子１０２に由来する他の種類の欠陥画素（図２Ｂに示す縦線キズなど）も含む場合もある。
【００３４】
次に、図３Ａを参照して、撮像装置１００による評価値生成処理について説明する。図３Ａにおいて、Ｓ１〜Ｓ７の処理は縮小画像補正部１０６によって実行され、Ｓ１１〜Ｓ１６の処理は詳細評価値生成部１０９によって実行される。
【００３５】
Ｓ１で、縮小画像補正部１０６は、映像圧縮部１０５からの縮小画像の受信を開始する。Ｓ２で、縮小画像補正部１０６は、縮小画像に対するＦＰＮ補正を開始する。Ｓ３で、縮小画像補正部１０６は、現在のフレームに対するＦＰＮ補正を実行する。このＦＰＮ補正に伴い、縮小画像補正部１０６は、縮小画像における欠陥画素（図２Ｂの縦線キズや図２Ｃの欠陥画素など）を検出する。ＦＰＮ補正での縦線キズや欠陥画素の検出は、撮像素子１０２及び撮像装置１００の映像信号のゲイン値に基づき、所定の閾値を超えた画素又は画素の列を指し、この閾値は撮像素子１０２及び撮像装置１００によって異なる。
【００３６】
Ｓ４で、縮小画像補正部１０６は、Ｓ３において縦線キズ又は欠陥画素が検出されたか否かを判定する。検出された場合、処理はＳ５に進み、そうでない場合、処理はＳ６に進む。Ｓ５で、縮小画像補正部１０６は、検出された縦線キズ又は欠陥画素のアドレス情報を詳細評価値生成部１０９へ送信する。なお、縮小画像補正部１０６は、アドレス情報をフルサイズの画像におけるアドレス情報に変換してから詳細評価値生成部１０９へ送信してもよい。或いは、縮小画像補正部１０６は、変換前のアドレス情報を詳細評価値生成部１０９へ送信し、詳細評価値生成部１０９が後述のＳ１３で変換処理を行ってもよい。換言すると、縮小画像におけるアドレス情報に基づいてフルサイズの画像におけるアドレス情報を取得する機能（アドレス変換機能）は、縮小画像補正部１０６に含まれていてもよいし、詳細評価値生成部１０９に含まれていてもよい。後者の場合、縮小画像補正部１０６は、アドレス情報と共に、どのようなシュリンク処理により縮小画像が生成されたかを示すシュリンク情報を詳細評価値生成部１０９へ送信する。
【００３７】
Ｓ６で、縮小画像補正部１０６は、ＦＰＮ補正を続行するか否かを判定する。補正を続行する場合、処理はＳ３に戻り、次のフレームについて同様の処理が繰り返される。補正を続行しない場合（例えば、撮像装置１００の電源が切られた場合など）、処理はＳ７に進み、縮小画像補正部１０６は、ＦＰＮ補正を終了する。
【００３８】
他方、Ｓ１１で、詳細評価値生成部１０９は、映像分配器１０３からフルサイズの画像の受信を開始する。Ｓ１２で、詳細評価値生成部１０９は、フルサイズの画像に基づく評価値演算処理を開始する。評価値としては、オートフォーカス用の合焦位置の計算、露出調整用の映像の明るさの計算、手ぶれ補正用のぶれ量やベクトルの計算などにより得られるもの（合焦評価値、露出評価値、及びぶれ評価値など）が挙げられる。ここでは特に、縮小画像よりもフルサイズの画像を用いた方が撮像装置１００の制御に有効である評価値を、演算の対象とする。
【００３９】
Ｓ１３で、詳細評価値生成部１０９は、縮小画像補正部１０６からアドレス情報及びシュリンク情報を受信する。詳細評価値生成部１０９は、シュリンク情報に基づき、縮小画像におけるアドレス情報をフルサイズの画像におけるアドレス情報に変換する。そして、詳細評価値生成部１０９は、変換後のアドレス情報が示す画素、即ち、縦線キズや点キズに対応する画素を、評価値演算処理の対象から除外する。なお、前述の通り、縮小画像補正部１０６がＳ５においてアドレス情報の変換を行う場合は、Ｓ１３における変換処理は不要である。
【００４０】
Ｓ１４で、詳細評価値生成部１０９は、Ｓ１３において除外処理が適用されたフルサイズの画像に基づく演算により、評価値を生成する。こうして生成された評価値は、撮像素子制御部１１０及びレンズ制御部１１１へ送信され、後続のフレームの撮像のために利用される。
【００４１】
Ｓ１５で、詳細評価値生成部１０９は、評価値演算処理を続行するか否かを判定する。評価値演算処理を続行する場合、処理はＳ１３に戻り、次のフレームについて同様の処理が繰り返される。評価値演算処理を続行しない場合（例えば、撮像装置１００の電源が切られた場合や、撮像装置１００が評価値の生成が不要な動作モードに入った場合）、処理はＳ１６に進み、詳細評価値生成部１０９は、評価値演算処理を終了する。
【００４２】
以上説明したように、第１の実施形態によれば、撮像装置１００は、縮小画像に対してＦＰＮ補正を行うことにより縦線キズ及び欠陥画素のアドレス情報を検出し、このアドレス情報をフルサイズの画像におけるアドレス情報に変換する。そして、撮像装置１００は、変換後のアドレス情報に対応する画素をフルサイズの画像から除外した上で、フルサイズの画像に基づいて評価値を生成する。
【００４３】
これにより、フルサイズの画像に対してＦＰＮ補正を行わなくても、縦線キズに対応する画素及び欠陥画素を除外して、フルサイズの画像に基づいて評価値を生成することができる。従って、処理負荷の増大及び精度の低下を抑制しつつ、フルサイズの画像（縮小されていない撮像画像）から評価値を取得することが可能となる。
【００４４】
［第２の実施形態］
第１の実施形態では、図３ＡのＳ１３において、詳細評価値生成部１０９は、フルサイズの画像において評価値演算の対象となる領域を考慮せずに、縦線キズに対応する画素や欠陥画素の除外処理を行った。しかし、実際には、例えば図２Ｂ及び図２Ｃの右上において「フォーカス計算領域」と示すように、フルサイズの画像の一部の領域だけが評価値演算の対象領域である場合がある。そこで、本実施形態では、処理負荷を軽減するために、縦線キズに対応する画素や欠陥画素が評価値演算の対象領域に含まれる場合に除外処理を行うことについて説明する。なお、本実施形態において、撮像装置１００の基本的な構成は第１の実施形態と同様である（図１Ａ参照）。
【００４５】
図３Ｂを参照して、撮像装置１００の詳細評価値生成部１０９による評価値生成処理について説明する。図３Ｂは、図３ＡのＳ１１〜Ｓ１６を置き換えるものであり、図３Ａと同一又は同様の処理が行われるステップには同一の符号を付し、説明を省略する。縮小画像補正部１０６の処理は第１の実施形態と同様である（図３Ａ参照）。
【００４６】
Ｓ２１で、詳細評価値生成部１０９は、縮小画像補正部１０６からアドレス情報及びシュリンク情報を受信し、縦線キズ又は欠陥画素が存在するか否かを判定する。存在する場合、処理はＳ２２に進む。存在しない場合、除外処理は不要なため、処理はＳ１４に進む。
【００４７】
Ｓ２２で、詳細評価値生成部１０９は、シュリンク情報に基づき、縮小画像におけるアドレス情報をフルサイズの画像におけるアドレス情報に変換する。そして、詳細評価値生成部１０９は、縦線キズ又は欠陥画素が評価値演算の対象領域内に存在するか否かを判定する。存在する場合、処理はＳ２３に進む。存在しない場合、除外処理は不要なため、処理はＳ１４に進む。なお、第１の実施形態と同様、縮小画像補正部１０６がＳ５においてアドレス情報の変換を行う場合は、Ｓ２２における変換処理は不要である。
【００４８】
Ｓ２３で、詳細評価値生成部１０９は、変換後のアドレス情報が示す画素、即ち、縦線キズに対応する画素や欠陥画素のうち、評価値演算の対象領域内の画素を、評価値演算処理の対象から除外する。
【００４９】
以上説明したように、第２の実施形態によれば、撮像装置１００は、縦線キズに対応する画素や欠陥画素が評価値演算の対象領域に含まれる場合に除外処理を行う。これにより、処理負荷が軽減される。
【００５０】
［第３の実施形態］
第３の実施形態では、フルサイズの画像に基づいて評価値を生成するか、縮小画像に基づいて評価値を生成するかを切り替え可能な構成について説明する。詳細な評価値が不要な場合は、縮小画像に基づいて評価値を生成することにより、処理負荷を軽減することができる。
【００５１】
図１Ｂは、第３の実施形態に係る撮像装置１５０の構成を示すブロック図である。図１Ｂにおいて、図１Ａの撮像装置１００と同一又は同様の機能を持つブロックには同一の符号を付し、説明を省略する。
【００５２】
簡易評価値生成部１１２は、縮小画像補正部１０６から、ＦＰＮ補正を実施した後の縮小画像を受信し、縮小画像に基づいて評価値を生成する。そして、簡易評価値生成部１１２は、評価値を撮像素子制御部１１０及びレンズ制御部１１１へ送信する。
【００５３】
切替部１１３は、詳細評価値生成部１０９（第１の生成手段）及び簡易評価値生成部１１２（第２の生成手段）を制御することにより、フルサイズの画像に基づいて評価値を生成するか、縮小画像に基づいて評価値を生成するかを切り替える。これにより、例えば、被写体に対して、まずは縮小映像から演算された合焦位置を使用して大雑把にフォーカスを合わせ、その後、フルサイズの画像から演算された合焦位置を使用して、詳細にフォーカスを合わせるような処理が可能になる。大雑把にフォーカスを合わせる処理の間は、詳細評価値生成部１０９によるフルサイズの画像に基づく評価値の演算が行われないため、処理負荷が軽減される。
【００５４】
以上説明したように、第３の実施形態によれば、撮像装置１５０は、状況に応じて、フルサイズの画像に基づいて評価値を生成するか、縮小画像に基づいて評価値を生成するかを切り替える。これにより、評価値演算の処理負荷が軽減される。
【００５５】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１Ａ】
2015061137.tif 000003
【図１Ｂ】
2015061137.tif 000004
【図２Ａ】
2015061137.tif 000005
【図２Ｂ】
2015061137.tif 000006
【図２Ｃ】
2015061137.tif 000007
【図３Ａ】
2015061137.tif 000008
【図３Ｂ】
2015061137.tif 000009